(57)【特許請求の範囲】
【請求項１】
無効な乗車券を持った利用者、もしくは乗車券を持っていない利用者が、改札機を強行突破をした時、後続の利用者が再度受付状態になる前に、乗車券をリーダライタにかざしている場合は、エラー表示の状態を継続したまま次の利用者の改札処理を行い、判定結果が出た時に、受付状態の表示をスキップして直ちに判定表示を行うようにしたことを特徴とするドアレス自動改札機の改札処理方法。
【請求項２】
請求項１記載のドアレス自動改札機の改札処理方法において、前記乗車券がＩＣカード乗車券であることを特徴とするドアレス自動改札機の改札処理方法。
【請求項３】
請求項１記載のドアレス自動改札機の改札処理方法において、前記乗車券が二次元コード乗車券であることを特徴とするドアレス自動改札機の改札処理方法。
【請求項４】
請求項１から３の何れか一項記載のドアレス自動改札機の改札処理方法において、前記ドアレス自動改札機は鉄道車両、乗合バスまたは路面電車（ＬＲＴ）の車載用改札機であることを特徴とするドアレス自動改札機の改札処理方法。
【発明の詳細な説明】
【技術分野】
【０００１】
本発明は、利用者の通行を抑止するためのドアを持たない、またはドアを動作させないドアレス自動改札機の改札処理方法に関するものである。
【背景技術】
【０００２】
現在、鉄道のＩＣ乗車券を持っている利用者は、駅の改札口を通過する際ＩＣカード乗車券を改札機のリーダライタ（読取・書込装置）にかざすという動作を行っている。
このタイミングによって、改札機はＩＣ乗車券から乗車券データを読み取り、通過を許可するかどうかを判定している。
通過を許可しない利用者が改札機を通過しようとすると、改札機は視覚と音声で一定時間警告を発し、警告を発している間、改札機は、乗車券の受付を停止する。その後一定時間経過し、警告を終了すると、次の乗車券の受付を開始し、リーダライタや案内表示装置にＩＣカード受付可能状態であることを表示する。
【０００３】
ＩＣカード乗車券の場合は、判定の結果、通過を認めるときは判定結果をＩＣカード乗車券に経過情報として記録し、その直後に判定結果を利用者に伝える。
【先行技術文献】
【特許文献】
【０００４】
【特許文献１】特開２０００−１１３２３９号公報
【非特許文献】
【０００５】
【非特許文献１】２０１１  特許技術情報  平成２３年１０月発行，Ｅ−８  公益財団法人  鉄道総合技術研究所
【発明の概要】
【発明が解決しようとする課題】
【０００６】
ドアレス自動改札機については、本願出願人が車載改札機を中心に検討を進めているが、これまでの自動改札機（ドアのある改札機も含む）の改札処理シーケンスをそのままドアレス自動改札機に適応すると、ドアという物理的な旅客の流動制御手段がないため、直前の利用者が正しく改札を行って通過したか明確に確認できない状態で、次の利用者が自動改札機を利用するという状況になる。全ての利用者が有効な乗車券を利用している状況であれば問題はほとんど発生しないが、無効な乗車券を持つ利用者もしくは無札（乗車券を持たない）利用者が故意に通過した場合など、不正利用者が発生すると、次に続く有効な乗車券を持っている利用者のタッチするタイミングによっては紛らわしい表示となり、正しい利用者が正しく利用できなくなる可能性が発生するという問題があった（上記特許文献１参照）。
【０００７】
以下、従来のドア付き自動改札機の流動制御とドアレス改札機への適用の問題について説明する。
（１）利用者がＩＣカード乗車券をＩＣカードリーダライタにタッチする。
（２）自動改札機は読み込まれた乗車券情報の有効性を判断し、有効であればドアを開き通過を許可する（既にドアが開いている場合は、そのままドアを開き続ける）。
【０００８】
（３）無効な乗車券が読み込まれた場合は、ドアを開けずに（ドアが開いている場合には、すぐにドアを閉じて）、表示部に無札であることを表示するとともに音声・チャイム等により無効であることを利用者に伝える。
（４）乗車券を持っていない利用者の場合は、通過しようとして自動改札機の途中まで進むと、この状態を検知してドアを閉じ、表示部に無札であることを表示するとともに音声・チャイム等により無効であることを利用者に伝え、通過を抑止する。
【０００９】
（５）無効な乗車券を持った利用者、もしくは乗車券を持っていない利用者が通過しようとしてドアを閉じても強行突破した場合は、一定時間エラーを表示を行い、後続の利用者の利用を制限する。一定時間が経過して改札機内に人がいない場合、再度受付状態に遷移し、後続の利用者の処理を開始する。
ここで、ドアレス改札機において同じシーケンスで制御すると、以下のような状況となる。
【００１０】
（１）有効な乗車券をもった利用者が、通常に利用する状況においては不具合は発生しない。
（２）無効な乗車券を持った利用者、もしくは乗車券を持っていない利用者が使用した場合でも、ドアのある場合と同じ行動（ドアの前で引き返して、自動改札機の入口から出るという動作）ができている場合であれば、不具合は発生しない。
【００１１】
（３）無効な乗車券を持った利用者、もしくは乗車券を持っていない利用者が強行突破をしても、後続の利用者が再度受付状態になるまで自動改札機の前で待っている場合は不具合は発生しない。
（４）無効な乗車券を持った利用者、もしくは乗車券を持っていない利用者が改札機を強行突破をした時、後続の利用者が再度受付状態になる前に、ＩＣカード乗車券を読み取り機にかざしていると、受付状態になった瞬間に一旦表示が変化する（すなわち、ＩＣカード受付可能状態であることを示す表示が行われる）ために、改札処理ができたと勘違いをして、まだ改札処理ができていないにもかかわらず、改札機を通ってしまうという不具合が発生する。この状態は、改札機からすると無札の利用者が通過しようとしたという処理になってしまう。ここで本質的な問題は、後続の利用者が前の利用者がどのような状況で通過したかを正確に把握できていないということにある。なお、磁気式乗車券（磁気券）を持つ利用者については投入口にシャッターがあるため、このような問題は発生しない。
【００１２】
図５は従来の２次元コード対応試作改札機と試作乗車券の図面代用写真（上記した非特許文献１参照）である。
この図に示すような二次元コード乗車券の利用者は、ＩＣカードと同様に物理的にかざすことを抑止できないために、上記したと同様の問題が発生する。
本発明は、このような状況に鑑みて、無効な乗車券を持った利用者、もしくは乗車券を持っていない利用者が、ドアレス改札機を強行突破をして再度受付状態になる時、後続の利用者がこの再度受付状態になる以前に、乗車券をリーダライタにかざしていると、受付状態になった瞬間に一旦表示が変化するために、改札処理ができたと勘違いをしてしまい、まだ改札処理ができていないにもかかわらず、改札機を通ってしまうという勘違いによるエラーを抑制することができる、ドアレス自動改札機の改札処理方法を提供することを目的とする。
【課題を解決するための手段】
【００１３】
本発明は、上記目的を達成するために、
〔１〕ドアレス自動改札機の改札処理方法において、無効な乗車券を持った利用者、もしくは乗車券を持っていない利用者が、改札機を強行突破をした時、後続の利用者が再度受付状態になる前に、乗車券をリーダライタにかざしている場合は、エラー表示の状態を継続したまま次の利用者の改札処理を行い、判定結果が出た時に、受付状態の表示をスキップして直ちに判定表示を行うようにしたことを特徴とする。
【００１４】
〔２〕上記〔１〕記載のドアレス自動改札機の改札処理方法において、前記乗車券がＩＣカード乗車券であることを特徴とする。
〔３〕上記〔１〕記載のドアレス自動改札機の改札処理方法において、前記乗車券が二次元コード乗車券であることを特徴とする。
〔４〕上記〔１〕から〔３〕の何れか一項記載のドアレス自動改札機の改札処理方法において、前記ドアレス自動改札機は鉄道車両、乗合バスまたは路面電車（ＬＲＴ）の車載用改札機であることを特徴とする。
【発明の効果】
【００１５】
本発明によれば、まだ改札処理ができていないにもかかわらず、改札機を通ってしまうという勘違いによるエラーを抑制することができる。
【図面の簡単な説明】
【００１６】
【図１】本発明の第１実施例を示すドアレス自動改札機の構成模式図である。
【図２】本発明の第１実施例を示すドアレス自動改札機の改札処理フローチャートである。
【図３】本発明の第２実施例を示す鉄道車両、乗合バスまたは路面電車の車載型ドアレス自動改札機の模式図である。
【図４】本発明の第２実施例を示すドアレス自動改札機の構造を示す模式図である。
【図５】従来の二次元コード対応試作改札機と試作乗車券の図面代用写真である。
【発明を実施するための形態】
【００１７】
ドアレス自動改札機の改札処理方法は、無効な乗車券を持った利用者、もしくは乗車券を持っていない利用者が、改札機を強行突破をした時、後続の利用者が再度受付状態になる前に、乗車券をリーダライタにかざしている場合は、エラー表示の状態を継続したまま次の利用者の改札処理を行い、判定結果が出た時に、受付状態の表示をスキップして直ちに判定表示を行うようにした。
【実施例】
【００１８】
以下、本発明の実施の形態について詳細に説明する。
図１は本発明の第１実施例を示すドアレス自動改札機の構成模式図である。
この図において、１はドアレス自動改札機、２は改札機本体、３は磁気券の投入口、４は磁気券の取出口、５は磁気券シャッター、６Ａ，６Ｂは磁気券搬送部、７は磁気券処理部、８は磁気券集札部、９は改札機本体の制御部、１１〜１４は人間検知センサー、１５はＩＣカードリーダライタ（読取・書込装置）、１６はＩＣカード処理部、１７は表示部である。
【００１９】
ここで、一般的な自動改札機の仕組みと改札処理の流れについて説明する。
図２は本発明の第１実施例を示すドアレス自動改札機の改札処理フローチャートである。
以下の説明は、ＩＣカード乗車券と磁気式乗車券（磁気券）を共用できる自動改札機の説明である。二次元コード乗車券を使う場合は、ＩＣカードリーダライタの代わりに二次元コードリーダ（読取装置）、ＩＣカード処理部の代わりに二次元コード処理部が構成される。
【００２０】
（１）ＩＣカード（二次元コード）乗車券もしくは磁気券を改札機１にタッチもしくは投入する（ステップＳ１）。
（２）磁気券シャッター５を閉じ、ＩＣカードリーダライタ１５を受け付け禁止の状態とする（ステップＳ２）。
（３）磁気券であるか否かをチェックする（ステップＳ３）。
【００２１】
（４）磁気乗車券である場合には、乗車券処理部で磁気券のデータを読み取り、乗車券の判定を行う（ステップＳ４）。
（５）有効な乗車券か否かをチェックする（ステップＳ５）。
（６）有効な乗車券である場合には、改札処理結果を表示し、磁気券取出口に磁気券を排出し、磁気券シャッターを開け、ＩＣカードリーダライタの抑止を解除し、改札処理はエンドとする（ステップＳ６）。
【００２２】
（７）上記ステップＳ５において、ＮＯの場合には、改札処理結果（無効な乗車券であること）をエラー表示し、磁気券取出口に磁気券を排出する（ステップＳ７）。ＹＥＳの場合には、エラー表示を解除（ステップＳ１１）し、後述するステップＳ１２に移行する。
（８）利用者が戻って改札機から出たかをチェックする（ステップＳ８）。
【００２３】
（９）利用者が戻らずそのまま通過したかチェックする（ステップＳ９）。
（１０）利用者が戻らずそのまま通過した場合には、一定時間エラー表示を継続する（ステップＳ１０）。
（１１）磁気券シャッターを開け、ＩＣカードリーダライタの抑止を解除し、改札処理はエンドとする（ステップＳ１２）。
【００２４】
（１２）上記ステップＳ３において、磁気乗車券でない場合は、ＩＣカード処理部でＩＣカードのデータを読み取り、乗車券の判定を行う（ステップＳ１３）。
（１３）有効な乗車券か否かをチェックする（ステップＳ１４）。
（１４）有効な乗車券である場合には、改札処理結果を表示し、磁気券シャッターを開け、ＩＣカードリーダライタの抑止を解除し、改札処理はエンドとする（ステップＳ１５）。
【００２５】
（１５）上記ステップＳ１４において、有効な乗車券でない場合は、改札処理結果（無効なＩＣカード乗車券であること）をエラー表示する（ステップＳ１６）。
（１６）利用者が戻って改札機から出たかをチェックする（ステップＳ１７）。
（１７）上記ステップＳ１７において、利用者が戻って改札機から出ずに、そのまま改札機を通過したか否かをチェックする（ステップＳ１８）。ＹＥＳの場合には、エラー表示を解除（ステップＳ２１）し、後述するステップＳ２２へ移行する。
【００２６】
（１８）利用者がそのまま改札機を通過した場合には、一定時間エラー表示を継続する（ステップＳ１９）。
（１９）次の利用者がＩＣカードをかざしているか否かをチェックする（ステップＳ２０）。
（２０）上記ステップＳ２０において、次の利用者がＩＣカード乗車券をＩＣカードリーダライタへかざしていないＮＯの場合には、磁気券シャッターを開け、ＩＣカードリーダライタの抑止を解除し、改札処理はエンドとする（ステップＳ２２）。
【００２７】
（２１）上記ステップＳ２０において、次の利用者がＩＣカード乗車券をＩＣカードリーダライタへかざしている場合には、上記ステップＳ１３に戻り、ステップＳ１３からステップＳ２２の処理を行う。
すなわち、無効な乗車券を持った利用者、もしくは乗車券を持っていない利用者が、改札機を強行突破をした時、後続の利用者が再度受付状態になる以前に、乗車券をリーダライタにかざしている場合は、エラー表示の状態を継続したまま次の利用者の改札処理を行い、判定結果が出た時に、受付状態の表示をスキップして直ちに判定表示を行うようにした。
【００２８】
図１に示したように、自動改札機１はＩＣカード乗車券が利用できる。また磁気乗車券を使うこともできる。
（１）ＩＣカードの処理において、ＩＣカードリーダライタ１５でＩＣカードの読取・書込をする。ＩＣカード処理部１６は、ＩＣカードリーダライタ１５と改札機本体の制御部９の間の処理を行う。この制御部９は、改札機本体２の制御を行い、改札処理の結果を表示する。なお、人間検知センサーは改札機の内方にいる人間の検知を行い通過人数の監視や通過の有無などのチェックを行う。
【００２９】
（２）ＩＣカード乗車券の処理の流れは、（ａ）ＩＣカードリーダライタ１５にＩＣカードがタッチされると、（ｂ）ＩＣカード情報がＩＣカード処理部１６を介して制御部９に伝送される（この時、磁気券シャッターが閉じられ、後続の磁気券利用者を抑止する）。（ｃ）ＩＣカード処理部１６でタッチされた乗車券が有効なものかどうかチェックする（または、制御部９でタッチされた乗車券が有効なものかどうかチェックする場合もある）。（ｄ）有効な乗車券であれば乗車券の処理結果をＩＣカード処理部１６とＩＣカードリーダライタ１５を介して、ＩＣカード乗車券に処理結果の情報を書き込むとともに、（ｅ）改札機の表示部１７に改札処理結果を表示する（ここで、有効な乗車券である場合は、磁気券シャッター５を開放するとともに、後続のＩＣカード乗車券および磁気式乗車券の受付が可能な状態とする）が、無効な乗車券がかざされた場合は、その旨を表示するとともに利用者が改札機から戻って内方から出るまでエラー表示とする。そのまま強行突破した場合は一定の時間エラー表示をした後にリセットし、次の利用者を受け付ける状態とする。
【００３０】
（３）磁気式乗車券では、磁気券が磁気投入口３から投入されると磁気搬送部６Ａによって磁気券が磁気券処理部７に搬送されるとともに磁気券シャッター５を閉じて（ＩＣカード乗車券の利用者にはＩＣカード読取装置が受付状態でないことを明示し）後続の利用者の利用を制限する。磁気券処理部７に搬送されると磁気乗車券に記録されている乗車券情報が読み取られるとともに、その情報を制御部９に転送し、有効な磁気乗車券であるかどうかを判定し、有効な乗車券である場合には、その旨を表示部１７に表示するとともに、処理した乗車券を利用者に戻す必要がある場合は、磁気券取出口４から返却するとともに磁気券シャッター５を開放して次の乗車券の利用を受け付ける状態にする。無効な乗車券が投入された場合は、その旨を表示部１７から表示するとともに、ただちに乗車券取出口４から乗車券を排出する。この時磁気券シャッター５は閉じたままにして、利用者が乗車券取出口４から取り出し、自動改札機の内方から外へ出るまで（人間センサーにより監視）この状態を保持し、外に出たことが確認できると、エラー表示を解除するとともに磁気券シャッター５を開放して、次の利用者を受け付ける状態にする。
【００３１】
（４）無効な乗車券を持った利用者、もしくは乗車券を持っていない利用者が、強行突破をした時、一定の時間、エラー表示をするまでは通常の自動改札機と同様とする。
（５）一定時間経過後、後続の利用者が乗車券をＩＣカード読取装置１５にタッチしていない場合は、通常の自動改札機と同様とする。
（６）一定時間経過後、受付状態になったときに後続の利用者が乗車券をＩＣカード読取装置１５にタッチしていた場合は、エラー表示の状態を継続したまま次の利用者の改札処理を行い、判定結果が出た時に、受付状態の表示をスキップして直ちに判定表示を行う。
【００３２】
図３は本発明の第２実施例を示す鉄道車両、乗合バスまたは路面電車の車載型ドアレス自動改札機の模式図、図４はそのドアレス自動改札機の構造を示す構成模式図である。
これらの図において、２１は改札機本体であり、両側に人間検知ユニットが配置されている。２２は改札機本体の入口側に配置されるＩＣカード乗車券または２次元コード乗車券のリーダライダ（読取・書込装置）、２３は乗車券の受付状態表示部、２４は乗車券のタッチエリア（ＩＣ乗車券と無線によりデータをやりとりをするためのアンテナ部）である。このリーダライダ（読取・書込装置）２２内には乗車券処理部２５を内蔵している。２６は乗車券処理部２５に接続される改札機本体の制御器、２７は改札機本体の制御器２６に接続される表示部、２８は改札機本体２１に配置される人間検知センサーである。
【００３３】
特に、鉄道車両、乗合バスまたは路面電車の車載型自動改札機は、狭いスペースに組み込む必要があるので、コンパクトな構成であることが望ましい。
そこで、上記した一般の自動改札機から磁気券を処理する機構がなくなったものとする。改札機の改札処理シーケンスは、一般の自動改札機と同じである。つまり、人間検知センサーも搭載しているので、全く同じ改札処理ができる。
【００３４】
このように、自動改札機の改札処理を行うようにしたので、以下のような効果が期待できる。
（１）この改札処理により、後続の利用者が有効な乗車券を持っている場合は、すぐに通過許可の表示がされ、スムーズに改札機を通過することができる。
（２）後続の利用者が無効な乗車券を使った場合は、引き続きエラーとなるが、エラー表示の内容は後続の利用者に対応した表示となるために、正しく利用者にエラー内容を通知することができ、正規の行動をしてもらうことが期待できる。
【００３５】
（３）なお、後続の利用者が乗車券を持っていない場合は、そのまま受付状態となり、通過しようとすると無札エラーを表示するため、正規のエラー表示を行うことができる。
また、二次元コードの代わりに光学式読み取り型カラーコードなどを使用するようにしてもよい。
なお、本発明は上記実施例に限定されるものではなく、本発明の趣旨に基づき種々の変形が可能であり、これらを本発明の範囲から排除するものではない。
【産業上の利用可能性】
【００３６】
本発明のドアレス自動改札機の改札処理方法は、改札処理ができたと勘違いをして、まだ改札処理ができていないにもかかわらず、改札機を通ってしまうという勘違いによるエラーを抑制することができる、ドアレス自動改札機の改札処理方法として利用可能である。
【符号の説明】
【００３７】
１    ドアレス自動改札機
２，２１    改札機本体
３    磁気券の投入口
４    磁気券の取出口
５    磁気券シャッター
６Ａ，６Ｂ    磁気券搬送部
７    磁気券処理部
８    磁気券集札部
９    改札機本体の制御部
１１〜１４，２８    人間検知センサー
１５    ＩＣカードリーダライタ（読取・書込装置）
１６    ＩＣカード処理部
１７，２７    表示部
２２    ＩＣカード乗車券または２次元コード乗車券のリーダライダ（読取・書込装置）
２３    乗車券の受付状態表示部
２４    乗車券をかざす箇所
２５    乗車券処理部
２６    改札機本体の制御器
【図１】
0005705775.tif 000002
【図２】
0005705775.tif 000003
【図３】
0005705775.tif 000004
【図４】
0005705775.tif 000005
【図５】
0005705775.tif 000006